(57)【要約】【課題】使用上の安全性を確保でき、無理な姿勢をしなくとも接続作業を行うことができ、かつ挿着状態の信頼性に優れた加湿器を提供すること。【解決手段】酸素濃縮装置の酸素を送り出す出口管１０６と、湿潤状態の酸素を呼吸手段に送り出す入口管１０７に対して着脱自在に挿着され、水を貯める容器への水の補給を可能にした加湿器であって、出口管と入口管の各上方部位に形成される被係止部１０６ａ、１０７ａと、蓋部材１００と、この蓋部材１００で回動自在に軸支され操作面１０２ａと係止部１０８とを形成した回動部材１０２と、圧縮バネ１０５と、泡発生部材を設ける。【選択図】  図１０
2004188120.tif 000002
【特許請求の範囲】
【請求項１】
酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、
前記出口管と前記入口管の各上方部位に形成される被係止部と、
前記出口管に連通する入口流路と、前記入口管に連通する出口流路と、前記容器を着脱自在かつ気密状態で嵌着する嵌着手段と、を形成した蓋部材と、
該蓋部材の軸支部により回動自在に軸支されるとともに、前記蓋部材の上面の略全域を覆う操作面と、前記被係止部に係止する係止部と、を形成した回動部材と、
前記係止部が前記被係止部に向かうように付勢する付勢部材と、
を備えることを特徴とする加湿器。
【請求項２】
酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、
前記出口管と前記入口管の各上方部位に形成される被係止部と、
前記出口管に連通する入口流路と、前記入口管に連通する出口流路と、前記容器を着脱自在かつ気密状態で嵌着する嵌着手段と、を形成した蓋部材と、
該蓋部材の軸支部により回動自在に軸支されるとともに、前記蓋部材の上面の略全域を覆う操作面と、前記被係止部に係止する係止部と、を形成した回動部材と、
前記係止部が前記被係止部に向かうように付勢する付勢部材と、
前記容器内に貯められた水中に酸素を送り出し、泡を発生して前記湿潤状態にするために前記入口流路に連通される泡発生手段と、
を備えることを特徴とする加湿器。
【請求項３】
前記嵌着手段は、嵌着後に気密状態に変形するように前記蓋部材と前記容器との間の接合面に設けられるリップシールと、前記蓋部材の縁部から延設される円筒内周面に形成される複数または好ましくは３箇所以上の一方の係合部と、
前記容器の円筒外周面に形成される複数または好ましくは３箇所以上の他方の係合部と、
前記円筒外周面に形成され、前記操作面と同時に把持されるフランジ部と、を備えることを特徴とする請求項１または２に記載の加湿器。
【請求項４】
前記酸素濃縮装置は、前記出口管と前記入口管とを、操作容易な高さに配設し、
かつ挿着後の前記蓋部材の前記操作面の上方に大きく開口し、挿着後の前記容器の前記フランジ部の左右方向に夫々空間部を形成したカバー部材を設けたことを特徴とする請求項３に記載の加湿器。
【請求項５】
前記蓋部材は、前記入口流路と、前記出口流路と、前記嵌着手段と、前記軸支部と、前記付勢部材の収容部とを所定樹脂材料を用いて一体樹脂成型し、
また、前記容器は、透明乃至光透過性の樹脂材料から射出成型され、かつ水の上下レベルの表示部を設けたことを特徴とする請求項１乃至４のいずれか１項に記載の加湿器。
【発明の詳細な説明】
【０００１】
【発明の属する技術分野】
本発明は、加湿器に係り、特に医療用の酸素濃縮装置に好適に使用される技術に関するものである。
【０００２】
【従来の技術】
空気中の酸素を透過させ、窒素を選択的に吸着するゼオライトを吸着剤として用いることで酸素を生成する吸着法による酸素濃縮装置が医療用として実用化されている。
【０００３】
この酸素濃縮装置によれば、空気取入口から取り込んだ空気をコンプレッサーで圧縮して圧縮空気を発生し、このコンプレッサーにより温度上昇した圧縮空気を熱交換で冷やし、この熱交換器を外気空気を吹付ける冷却用ファンで冷却し、ゼオライトを内蔵した一対の吸着筒に対して圧縮空気を交互に供給することで酸素を生成して、生成された酸素を製品タンクに貯め、減圧弁や流量設定器により製品タンクから供給される酸素の圧力及び流量が自動制御され、さらに加湿器により酸素を加湿することで、鼻カニューラ等の導管を介して患者に対して快適な酸素を供給できるように構成されている。このため、商用電源の備わっている場所に酸素濃縮装置を設置すれば、例えば肺機能が低下し在宅している患者は、就寝中でも安全に酸素を吸うことができる。
【０００４】
一方、酸素濃縮装置から供給される酸素は、非常に乾燥しているので、そのままの乾燥状態で鼻カニューラなどを介して鼻から吸引すると、鼻腔内の乾燥状態を招くこととなり、使用者に苦痛を与えることになる。
【０００５】
そこで、湿潤状態の酸素を鼻カニューラなどの呼吸手段に送り出す前に、容器内に貯められた水中に酸素を送り出し、泡を発生し、泡の破壊にともない発生する水分による湿潤状態にしてから酸素を患者に送り出すようにしている。このように容器内に貯めらる水は、時間経過とともに消費されることから補充が必要となる。
【０００６】
この補充作業は、酸素濃縮装置を使用する患者が行うことを前提としているが、患者は老齢者であることが多く、しかも補充のための頻度が高いことから、その補充作業については誰でも極力簡単に行えるようにする必要がある。
【０００７】
そこで、加湿器の酸素濃縮装置に対する接続作業を簡単にするために、水を貯めた容器と、容器の蓋部材とを合体した後に、水平方向の動作によって簡単に行うように構成された装置が提案されている（特許文献１）。
【０００８】
また、上記の挿着作業(接続作業)を行うために、水を貯めた容器と、容器の蓋部材とを合体した後に、蓋部材の上方で回動自在に軸支された係止部材を操作して、装置側に固定された被係止部に係止するように構成された装置が提案されている（特許文献２）。
【０００９】
さらに、加湿器の酸素濃縮装置に対する接続作業を、水を貯めた容器と、容器の蓋部材とを一体にした後に、水平方向に案内して、装置側に設けられたノブを操作して、装置に対する接続状態を維持するように構成された装置が提案されている（特許文献３）。
【００１０】
【特許文献１】特許番号第２８５７００５号。
【００１１】
【特許文献２】特開平１１−３９８号公報。
【００１２】
【特許文献３】特許番号第２７７３１００号。
【００１３】
【発明が解決しようとする課題】
しかしながら上記の特許文献１、２に提案された各装置によれば、水を貯めた容器と蓋部材とを合体した後に、装置側に設けられた被係止部に対する係止状態に維持するための係止手段は、装置の前方側に突出している。このため、患者がつまずくなどした場合に、係止手段に激しくぶつかることで思わぬ怪我をする虞がある。さらに、加湿器は低い位置にセットされることから、上記のように接続作業を行うために、水平に移動するときに、腰をかがめるなどの無理な姿勢が強要される問題がある。
【００１４】
また、特許文献３に提案された装置によれば、酸素を送り出す出口管と、湿潤状態の酸素を呼吸手段に送り出す入口管から離れた部分で、水を貯めた容器と蓋部材との合体物を不動状態に維持している。このために、挿着状態の維持の信頼性に乏しくなる。
【００１５】
したがって、本発明は上記の問題点に鑑みてなされたものであり、使用上の安全性を確保でき、無理な姿勢をしなくとも装着(接続)作業を行うことができ、かつ挿着状態の信頼性に優れた加湿器の提供を目的としている。
【００１６】
【課題を解決するための手段】
上述した課題を解決し、目的を達成するために、本発明によれば、酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、前記出口管と前記入口管の各上方部位に形成される被係止部と、前記出口管に連通する入口流路と、前記入口管に連通する出口流路と、前記容器を着脱自在かつ気密状態で嵌着する嵌着手段と、を形成した蓋部材と、該蓋部材の軸支部により回動自在に軸支されるとともに、前記蓋部材の上面の略全域を覆う操作面と、前記被係止部に係止する係止部と、を形成した回動部材と、前記係止部が前記被係止部に向かうように付勢する付勢部材と、を備えることを特徴としている。また、酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、前記出口管と前記入口管の各上方部位に形成される被係止部と、前記出口管に連通する入口流路と、前記入口管に連通する出口流路と、前記容器を着脱自在かつ気密状態で嵌着する嵌着手段と、を形成した蓋部材と、該蓋部材の軸支部により回動自在に軸支されるとともに、前記蓋部材の上面の略全域を覆う操作面と、前記被係止部に係止する係止部と、を形成した回動部材と、前記係止部が前記被係止部に向かうように付勢する付勢部材と、前記容器内に貯められた水中に酸素を送り出し、泡を発生して前記湿潤状態にするために前記入口流路に連通される泡発生手段と、を備えることを特徴としている。
【００１７】
また、前記嵌着手段は、嵌着後に気密状態に変形するように前記蓋部材と前記容器との間の接合面に設けられるリップシールと、前記蓋部材の縁部から延設される円筒内周面に形成される複数または好ましくは３箇所以上の一方の係合部と、前記容器の円筒外周面に形成される複数または好ましくは３箇所以上の他方の係合部と、前記円筒外周面に形成され、前記操作面と同時に把持されるフランジ部と、を備えることを特徴としている。
【００１８】
また、前記酸素濃縮装置は、前記出口管と前記入口管とを、操作容易な高さに配設し、かつ挿着後の前記蓋部材の前記操作面の上方に大きく開口し、挿着後の前記容器の前記フランジ部の左右方向に夫々空間部を形成したカバー部材を設けたことを特徴としている。
【００１９】
そして、前記蓋部材は、前記入口流路と、前記出口流路と、前記嵌着手段と、前記軸支部と、前記付勢部材の収容部とを所定樹脂材料を用いて一体樹脂成型し、また、前記容器は、透明乃至光透過性の樹脂材料から射出成型され、かつ水の上下レベルの表示部を設けたことを特徴としている。
【００２０】
【発明の実施の形態】
以下に、本発明の好適な一実施形態について添付の図面を参照して述べる。
【００２１】
先ず、図１は、一実施形態に係る酸素濃縮装置１を正面から見て、患者Ｋとともに略同じ縮尺率で示した外観斜視図である。本図から分かるように、この酸素濃縮装置１（これ以降、装置１とも呼ぶ）は、設置場所を最少にするために上下方向に長い直方体の形状(幅３５０ｍｍ×奥行き３５５ｍｍ×高さ６７５ｍｍ)を有していて総重量３５ｋｇｆであり、小型化、軽量化が図られている。そのデザイン上の特徴としては、床面から前面を覆うようにした平面状の前面化粧パネル３と、３次元的な人間工学的に優れた形状を有する熱可塑性樹脂製カバー２の色を夫々異なる色とすることで、室内に装置１を設置したときに家具などの他の調度品との調和を図れるように配慮している。
【００２２】
具体的には、カバー２をベージュ乃至クリーム系の色とする一方で、前面化粧パネル３の色をブルー系とすることで、所謂ツートンカラーの近代的なデザインとしている。さらに、低騒音化を図りつつ小型に構成するための種々の配慮がなされているが、詳しくは後述する。
【００２３】
装置１の前面化粧パネル３は、遮音機能を兼ねた木製であり、上記のブルー系以外に、患者Ｋの要望に応じて好きな色を選択できるようにしている。この木製とは、さらに詳しくは、加工が容易であり、かつ寸法に狂いの生じにくい周知である木材繊維を特殊な接着剤と共に熱圧・成板したＭＤＦ（Medium  Density   Fiberboard）が好ましく、軽量で防音性能が優れていることが知られている。
【００２４】
装置１の左右側面には、この前面化粧パネル３と同じ木製の左側面化粧パネル４と右側面化粧パネル５が、上下４個所の化粧ネジ８８を使用することで、後述する筐体に対して左右方向から着脱自在に固定されている。これらの左側面化粧パネル４と右側面化粧パネル５の略中央部位には、装置１の移動のために使用される取っ手１５が夫々固定されており、装置１の底面の四隅に固定されているキャスター６を使用して床面上を移動したり、装置１を設置するための搬送時において、作業者がこれらの取っ手１５を把持することで装置１の移動またはリフト作業を行なえるようにしている。このために、各取っ手１５の強度は、装置１を持ち上げる力に十分に耐える強度を有している。
【００２５】
左側面化粧パネル４の手前側の上方には、鼻カニューラ１３に接続されたチューブ６を引っかけるための鼻カニューラフック１４が固定されている。この鼻カニューラフック１４は、図示のように引っかける状態と、化粧パネル４の表面と面一となる収納状態とにできるので、不要な場合には収納状態にすることで装置１を室内の左壁に対して取っ手１５が当接するように設置できる。鼻カニューラ１３に接続されたチューブ６は、患者Ｋが生活する１つ部屋内で移動する範囲に相当する全長を有しており、端部には装置１に設けられた酸素出口管１０に対して着脱自在に設けれるカプラー１１を設けている。そして、未使用時は、チューブ１２を数回巻き付けた後に、図示のように鼻カニューラ１３を鼻カニューラフック１４に引っかけるようにしている。
【００２６】
カバー２は、天井面から前面化粧パネル３にかけて丸みを持たせた曲面を形成しており、図示のように標準身長（１６０〜１７０ｃｍ）の患者Ｋが起立状態で両手を下げた腰部分に略該当する高さＨの付近に、加湿器２０を設けるための凹部２ｄを略中央においてさらに連続形成している。このように中央に凹部２ｄを形成することで、頻繁に行われる加湿器２０の水補給作業を行なうときに、患者Ｋは立ったままの姿勢で行なうことができるので、従来の装置のようにいちいち座ったり覗き込む必要がなくなる。このため、患者Ｋの腹部への負担は大きく軽減され、さらには、左利きの人でも、加湿器２０は、中央の凹部２ｄにおいて着脱自在にされることから、何ら違和感なく交換を行なえることになる。
【００２７】
この加湿器２０の上には、室内の光量を検出する例えばＣｄｓである光量センサ１７が配設されている。このＣｄｓセンサ１７の上には、赤色または緑色に個別に発光／点灯して動作状態を患者Ｋに対して音声ガイドとともに知らせるための複数の発光ＬＥＤを内蔵した動作インジケータ１６がその表面を白色光透過性の樹脂プレートで保護するようにして配設されている。上記のＣｄｓセンサ１７は、動作インジケータや加湿器２０の右隣に配置されている７セグメントのＬＥＤを内蔵した流量表示部８の光量を室内の光度に応じて自動調節するセンサとして機能することで、室内が明るいときには、流量表示部８の輝度を高くし、夜間の就寝時などにおいて室内を暗くしたときには、流量表示部８の輝度を自動的に下げることで、就寝の障害にならないようにしている。
【００２８】
流量表示部８は、図示のように加湿器２０の右隣りに形成されたカバー２の凹部２ｃの奥側に設けられる。この流量表示部８の下方には、カバー２に対して着脱自在に設けられた保護カバー９が設けられており、この保護カバー９により後述する流量設定ダイアルを保護している。
【００２９】
加湿器２０の左隣りには、カバー２の凹部２ａが形成されており、この凹部２ａの中には押圧操作される電源スイッチ７が設けられている。この電源スイッチ７の下方には、上記のカプラー１１が接続される着脱機能を有した酸素出口管１０が配設されている。この酸素出口管１０も上記の電源スイッチ７と同様にカバー２に形成されたすり鉢形状の凹部２ｂの奥に固定されており、回りを取り囲むように設けられている。
【００３０】
以上説明したように、装置１のカバー２の前面側の曲面の中心部分に加湿器２０を着脱自在に設け、電源スイッチ７と、酸素出口管１０とをカバー２に形成された凹部２ａ、２ｂで取り囲むようにして、カバー２とほぼ面一になるように形成して、加湿器２０の左側に配置し、また流量表示部８も凹部２ｃの奥になるようにして加湿器２０の右側に設けることで操作性を向上させている。また、例えば患者Ｋがつまづきカバー２に対して激しくぶつかった場合でも樹脂製である衝撃吸収機能を備えたカバー２の前面側の曲面表面で適度に衝撃吸収して怪我などをしないように安全上の配慮がされている。
【００３１】
次に、図２（ａ）は、装置１を部屋の壁面Ｗ近くの床面Ｆ上に設置した様子を示した左側面図であり、図２（ｂ）は装置１の背面図である。図２において、既に説明済みの構成部品については同様の符号を附して説明を割愛する。
【００３２】
先ず、図２（ａ）において、装置１は、その背面が部屋の壁面Ｗから狭い間隙Ｇ分離間して設置される。このように設置する前に、図２（ｂ）に示す装置１の裏面パネル２５に固定された一対のコードフック１８から電源コード１９を解き、商用電源に接続することで電源供給を可能な状態にする。この裏面パネル２５の下方には、後述する木製筐体に設けられた排気口２６が設けられており、この排気口２６を介して、上記の狭い隙間Ｇの最下方位置に向かう排気を矢印方向に行なうことで、排気音が最も低くなる個所からの排気を可能にしている。
【００３３】
裏面パネル２５の上方にはブレーカースイッチ２４が設けられており、万が一の過剰電流発生時における対処を可能にしている。再度、図２（ａ）を参照して、カバー２の上面は、図示のように壁面Ｗに対して所定角度、例えば約４５度の角度となる後方に傾斜面を形成しており、この傾斜面においてフィルター交換用蓋体２１を着脱自在に設けている。このように、傾斜面にフィルター交換用蓋体２１を設けることで、矢印方向に外気を導入可能にして吸気音が装置１の前面側に届かないように配慮して、吸気音の低減を考慮し、尚且つ、交換作業を容易にしている。
【００３４】
このフィルター交換用蓋体２１には、患者Ｋまたは家族が定期的に洗浄／交換するフィルター(空気取入口フィルター)が内蔵されている。カバー２には図示のように平面部が上記の傾斜面から裏面側に向けて連続形成されており、この平面部において破線図示の点検用蓋体２２が着脱自在に設けられている。
【００３５】
この点検用蓋体２２は、カバー２の内部に配置されている破線図示の制御基板５１上に固定されている点検用基板２３に実装されている表示部の点検作業を点検員などが行なうとき及び後述する吸気フィルターやバクテリアフィルターの交換時に取り外すためのものであり、後述するように患者Ｋには開くことができない工夫がされている。一方、一点鎖線図示の第１遮音箱５４と第２遮音箱５５と、破線図示の安定化電源５２とが図示の位置に内蔵されている。
【００３６】
以上の構成により、装置１の外部に対する開口部分としては、フィルター交換用蓋体２１に設けられた開口部と、装置１の底部後方の排気口２６のみとするとともに、開口面積は後述する原料空気の流量を確保するために必要となる最少限度として、装置外部に内部の音が漏洩しないようにしている。
【００３７】
次に、図３（ａ）は、図１で示した流量表示部８と保護カバー９を拡大して示した外観斜視図であり、図３（ｂ）は保護カバー９を取り外した様子を示した外観斜視図である。本図において、上記のように流量表示部８は加湿器２０の右隣に配置されており、図示のように４桁の７セグメントのＬＥＤを内蔵しており、患者Ｋは医師の指示により毎分当りの酸素流量を、この流量表示部８を見ながら設定する。
【００３８】
この流量設定は、一度設定した後には、変更しないことが原則であることから流量変更を行なうために下方に設けられた流量設定ダイアル２７には、図示の形状のカバー２と同色のプラスチック製の保護カバー９が設けられる。この保護カバー９の上部にはツマミ部９ａが一体形成されており、この部分に指先を入れることで取り外す。このために、図３（ｂ）において、保護カバー９の裏面側にはカバー２に形成された係止溝２ｋ、２ｋに対して係止する係止爪９ｂ、９ｂが一体形成されている。
【００３９】
流量設定ダイヤル２７は、図示のようなノブを時計回転方向に回動することで流量が多くなるものであり、設定された流量表示は、上記の流量表示部８において表示される。また、左上の表示部２８を押すことで、一患者当りの装置１の使用時間が一時的に表示される。希望する流量の設定後に保護カバー９を元の状態にセットすると、この保護カバー９は、カバー２と面一になるように形成されている。
【００４０】
図４（ａ）は、装置１の平面図であり、図４（ｂ）は点検用蓋体２２を開けた様子を示した平面図である。本図において、既に説明済みの構成部品については同様の符号を附して説明を割愛すると、フィルター交換用蓋体２１には９個所の開口部２１ｂが形成されている。また、カバー２側に形成されている凹部２ｈに指先を入れることで、上方に持ち上げることで簡単に取り外すことができるように形成されている。このため、患者Ｋが毎日洗浄(必要に応じては交換)する必要のあるフィルター(空気取入口フィルター)３３(図５参照)の取り外し、取着けが極めて容易となりメンテナンス性が向上している。
【００４１】
一方、点検用蓋体２２はカバー２に形成されている点検窓２ｇの内部にセットされることで、その表面がカバー２の平面部の表面と面一状態となるように設けられている。この点検用蓋体２２を開けることで、図４（ｂ）に示したように点検用基板２３に実装されている回転スイッチ２３ａとその横に実装されている表示部２３ｂを使用して点検作業を行なえるようにしている。また吸気フィルター３０やバクテリアフィルター３２の交換と圧力調整器３１の調節も同様に行う。この点検用蓋体２２は、患者Ｋには開くことができないが、その構成について図５を参照して述べる。
【００４２】
図５は、フィルター交換用蓋体２１と点検用蓋体２２の取り外しの様子を示した外観斜視図であって、図５（ａ）と（ｂ）は、フィルター交換蓋体２１の取り外しの様子を示し、（ｃ）と（ｄ）は、点検用蓋体２２の取り外しの様子を夫々示す。
【００４３】
先ず、図５（ａ）において、患者Ｋは、フィルター交換用蓋体２１を取り外すためにカバー２に形成された凹部２ｈに指先を入れる。その後、指先を入れた状態でフィルター交換用蓋体２１を手前に倒すことで、カバー２の開口部２ｋから取り外す。次に、図５（ｂ）に示すようにこのフィルター交換用蓋体２１を逆さまにすることで、フィルター３３をフィルター交換用蓋体２１から取り外し、水洗により洗浄するか、新品に交換することで、フィルター交換用蓋体２１にセットする。このようにするためにフィルター交換用蓋体２１には、フィルター３３をセットするための収納部と、図示のような４個所の係止爪部２１ａが一体成型されており、カバー２に形成された開口部２ｋに対する係止状態にセットできるようにしている。
【００４４】
一方、図５（ｃ）と（ｄ）において、点検用蓋体２２には、弾性変形可能な形状に設けれられた係止部２２ａ、２２ａが一体樹脂成型されている。これらの係止部２２ａ、２２ａは、カバー２に形成された点検窓２ｇから点検用蓋体２２を取り外すときに矢印方向に押圧するように操作される。この操作だけでは手掛かりがないので点検用蓋体２２を上方に持ち上げることはできず、カバー２から上方に取り上げられない。
【００４５】
そこで、図５（ｃ）に示す吸着パッド３５を、予め点検用蓋体２２に吸着させる。その後、図５（ｄ）に示すように吸着パッド３５を把持して点検用蓋体２２を上に持ち上げることで点検窓２ｇから取り外すことで、図４（ｂ）に示した状態にできる。
【００４６】
すなわち、図５（ｃ）のＸ−Ｘ線矢視断面図である図６の断面図の（ａ）〜（ｃ）において、この点検用蓋体２２はカバー２の点検窓２ｇに形成された段差部に載置される外形寸法を有している。また、上記の係止部２２ａは、図示のように弾性変形可能なＵ字状に一体成型されるとともに、カバー２の点検窓２ｇに形成された溝部２ｍに対して係止する凸部２２ｂを一体形成している。このために、図６（ｂ）に示したように係止部２２ａを矢印方向に指先で押圧して、係止部２２ａを弾性変形して溝部２ｍから凸部２２ｂを外す状態にしてから、図６（ｃ）に示すように予め吸着された吸着パッド３４を把持して上方に持ち上げることで、点検用蓋体２２を上に向けて取り外すことができるように構成されている。このように吸着パッド３５を使用することで、点検用蓋体２２を取り外すことができることは、患者Ｋには知らされない。このため、サービスマンなどには操作性が容易であるが、患者Ｋが不用意に開けられない構造となっており、安全性を高めている。
【００４７】
以上のように患者Ｋまたは身の回りの人によりメンテナンスが行われる加湿器２０やフィルター３３などについては、装置１のカバー２の上部に直線状に最適の高さＨにおいて配置することで、患者Ｋが屈まなくとも作業が出来るようにするとともに、患者Ｋが装置１の限定された範囲に注意を注げるように配慮している。このために人間工学上きわめて優れた構成としている。さらには、酸素流量を変更する設定流量ダイヤル２７には保護カバー９を設け、ほぼ全体がカバー２と面一となっているので、設定後のトラブルを防止でき、不用意に接することを防止して、誤って流量が変更される危険性を少なくしている。
【００４８】
また、略処方流量が固定であり設定流量を変更することのない患者Ｋに対しても、保護カバー９を設けることで運転毎に確認することを不要にして、患者Ｋのみならず付き添いの人の負担を軽減できるようにしている。さらに、運転状況を確認する上で必要な動作インジケータ１６類についても、加湿器２０と同様に、装置１のカバー２の上部において略直線状に配置することで、患者Ｋが装置１の限定された部分のみ確認すれば良いようにしている。また、点検作業者は、装置１を、図２（ａ）に図示した設置状態にした後は、装置１を移動しなくとも点検窓２ｇから点検用蓋体２２を簡単に取り外すことで、必要なメンテナンス作業が行えるとともに、フィルターを含む各種の定期交換部品の交換や装置１の運転状況の把握ができるようになる。さらには装置１は必要最少限度の開口部を備えているので、不用意に異物が入らない。
【００４９】
また、動作インジケータ１６は、一般的には患者Ｋに対して装置１の正常状態または異常状態であることを音声ガイドとともに知らせるが、同時に図４（ｂ）に示した点検用基板２３に実装されている回転スイッチ２３ａと２３bを利用し、２３b異常箇所の出力をモニタリングすることで緊急時において、簡易測定器などが使用できなくなった場合などにおいて、応急的に装置１の性能判断が行えるようにしており、装置１の異常発生時において、連絡を受けた作業者は測定器を患者宅に持ち込むことなく適切な処置を行なえる。
【００５０】
次に、図７は、装置１のブロック図を兼ねた配管図である。本図において、太い実線は空気、酸素、窒素ガスの流路を示しており配管３６として示されている。また、細い実線は電源供給または電気信号の配線を示している。
【００５１】
先ず、上記のフィルター交換用蓋体２１に内蔵されたフィルター３３を通過して装置内部に吸気された原料空気は、吸気フィルター３０を介して配管３６中に流入され、濾過が行われることで、ゴミ、ダスト類の除去が行われる。その後、濾過された原料空気は、吸気用消音器３７でその吸気音が消音されて、配管３６を介してコンプレッサー３８に向う。コンプレッサー３８では吸気口から濾過後の原料空気を導入して、２つの圧縮室内において圧縮することで圧縮空気を発生し、下流側に配管された熱交換器４０に送り出す。この熱交換器４０は、コンプレッサー３８において温度上昇した圧縮空気を冷やすためのものであり、放熱効果に優れた金属パイプ（例えば、アルミ管）をコイル状にすることで表面積を増やすとともに、装置内に外部から導入された外部空気を、直に送風するための一対の冷却用ファン３９、３９からの送風を受けることで金属パイプを冷やすように構成されている。
【００５２】
この熱交換器４０で十分に冷やされた後の圧縮空気を、下流に配管されている第１吸着筒４３と第２吸着筒４４に対して交互に供給するニ方向切換弁４１に送ることで、第１吸着筒４３と第２吸着筒４４内に貯蔵されているゼオライトが窒素の吸着と酸素を生成するための触媒担体として十分に機能できるようにしている。このニ方向切換弁４１には、さらに第１吸着筒４３と第２吸着筒４４から放出される窒素と水分とによる排気音を低減するための排気用消音器４２が配管されている。
【００５３】
第１吸着筒４３と第２吸着筒４４内に貯蔵されているゼオライトは、触媒担体として、SiO2／Al2O3比が２．０〜３．０であるＸ型ゼオライトであり、かつこのAl2O3の四面体単位の少なくとも８８％以上をリチウムカチオンと結合させたものを用いることにより、単位重量当たりの窒素の吸着量を増やしている。
【００５４】
このようなゼオライトを使用することで、同じ酸素を生成するために必要となる原料空気の使用量を削減できるようになる。この結果、圧縮空気を発生するためのコンプレッサー３８を小型のタイプとすることができ、低騒音化を図ることができるようになる。ここで、従前から使用されているゼオライトを使用しても良く、この場合でも後述する消音機能により十分な低騒音化を図ることができることとなる。
【００５５】
一方、第１吸着筒４３と第２吸着筒４４の出口側には圧力を検出するための圧力センサ２９が設けられており、後述する制御を行なえるようにしている。また、第１吸着筒４３の出口側には第１逆止弁４６ａが、また第２吸着筒４４の出口側には第２逆止弁４６ｂが図示のように接続されており、各逆止弁の下流側は合流するように配管３６が成されており、下流において生成した酸素を貯蔵するための製品タンク４７が配管されている。さらに、第１吸着筒４３と第２吸着筒４４の各出口側との間には均等圧弁４５が配管されており、二次浄化を行なうようにしている。
【００５６】
製品タンク４７の下流側には、酸素の圧力を自動調整する圧力調整器３１が配管されている。この圧力調整器３１の下流側には、細菌類の除菌を行なうバクテリアフィルター３２が配管されており、除菌後の酸素を上記の流量設定ダイヤル２７に酸素を送る。図示のように、配管３６の途中は分岐しており酸素濃度センサ４８に酸素を送り、酸素濃度の検出を行ない、設定された酸素濃度の確認をできるようにしている。
【００５７】
吸着筒に内蔵されたゼオライトで生成された酸素は、湿度はほとんどゼロに近いので患者がそのまま吸引すると喉の渇きを招く。そこで、下流には精製水を貯液した加湿器２０が配管されており、精製水中を微細な気泡として通過する過程で酸素に湿度を与えるようにしている。この加湿器２０の下流側には、湿度センサーを含む流速センサ５０が接続されており、上記の酸素出口管１０に対して設定された流量の酸素が供給されていることを常時モニターするようにしている。この酸素出口管１０には、カプラー１１が接続されており、チューブ１２を介して鼻カニューラ１３が接続されている。
【００５８】
一方、上記の各センサとニ方向切換弁４１と均等圧弁４５は制御基板５１に接続されており、切換制御が行なわれる。制御基板５１は、上記の点検用基板２３に接続されるとともに、安定化電源５２からの電源供給を受けるとともに、停電時に自動的に切り換わる充電電池などの２次電源３４に接続されている。
【００５９】
図８は、図７の装置１のブロック図における動作説明フローチャートを各種の騒音の発生タイミングとともに示した図である。本図において、装置1の電源スイッチが押される事で、所定電圧の供給が開始され、制御基板５１においてセルフチェックプログラム（ステップＳ１）が行われる。これに続きステップＳ２では、コンプレッサー３８、冷却ファン３９，３９、二方向切換弁４１への通電が行われることで、外部空気の導入、更にはそれに伴う空気導入音が連続的に発生する。同時にコンプレッサー３８の振動や騒音、吸着筒に及ぶ配管透過音についても連続して騒音が発生する。
【００６０】
これに続き、導入された空気は二方切換弁４１を経て第１吸着筒４３、逆止弁４６a、製品タンク４７に流れ、徐々に圧力が上昇する。ステップＳ３では圧力センサー２９が所定の圧力を検出すると、均等圧弁４５が所定時間 開となる。このステップＳ３では第１吸着筒４３で濃縮された一部の酸素を使用して、第２吸着筒４４の、洗浄及び次の加圧に備えての準備が行われる。又、均等圧弁４５作動時には作動音を伴う。次のステップＳ４では、第１吸着筒４３の脱着工程（窒素や水分の排出）と第２吸着筒４４への空気の取入れを行うべく二方切換弁４１が作動する。このステップＳ４では、二方切換弁４１の切替え作動音、二方切換弁４１をへて排気用消音器４２から大気中に放出する第１吸着筒４３内に残る窒素ガスの放出音が発生する。この排気音は一時的ではあるが最も大きい。第２吸着筒４４に流れ込んだ空気は、逆止弁４６ｂ、製品タンク４７に流れ前工程と同様に、付設された圧力センサー２９が所定の圧力を検出すると同様に均等圧弁が所定時間 開となる。このステップＳ５では、ステップＳ３同様に第２吸着筒４３の、洗浄及び次の加圧に備えての準備が行われ、均等圧弁４５作動時には作動音が発生するのは言うまでもない。次のステップＳ６では、第１吸着筒４４の脱着工程（窒素や水分の排出）と第１吸着筒４３への空気の取入れを行うべく二方切換弁４１が作動する。このステップＳ６では、ステップＳ４同様に二方切換弁４１の切替え作動音、二方切換弁４１をへて排気用消音器４２から大気中に放出する第２吸着筒４４内に残る窒素ガスの放出音が発生する。当然この排気音はステップＳ４工程と同等の放出音が発生する。濃縮酸素ガスはステップＳ３〜ステップＳ６の繰り返し動作により発生する。続いて酸素の供給が開始されるが、このようにして供給される酸素は、非常に乾燥しているので、そのままの乾燥状態で鼻カニューラ１３を介して鼻から吸引すると、鼻腔内の乾燥状態を招くこととなり、使用者に苦痛を与えることになる。
【００６１】
そこで、湿潤状態の酸素を鼻カニューラ１３に送り出す前に、容器１０１内に貯められた水中に酸素を送り出し、泡を発生し、泡の破壊にともない発生する水分による湿潤状態にしてから酸素を鼻カニューラ１３に送り出す。このようにして容器１０１内に貯められる水は、時間経過とともに消費されることから補充が必要となる。以下に、この補充作業を行うための構成について図９から図１４を参照して述べる。
【００６２】
図９(ａ)は、加湿器２０を装置１から取り外す様子を示した外観斜視図である。また、図９(ｂ)は、取り外した後に加湿器２０の蓋部材１００から容器１０１を取り外す様子を示し、図９(ｃ)は水容器から容器１０１の上レベル１０１ａまで、水を補充する様子を示し、図９(ｄ)は、容器１０１を蓋部材１００に嵌着する様子を部分拡大図とともに示した外観斜視図である。
【００６３】
先ず、図９(ａ)において、加湿器２０は蓋部材１００に設けられた回動部材１０２の操作面を矢印ｄ１方向に押圧することで装置１に対する挿着状態が解除されて、矢印ｄ２方向の手前側に移動することで簡単に取り外すことができる挿着機構を備えている。
【００６４】
この挿着機構の一例について、図９(ａ)のＸ−Ｘ線矢視断面図である図１０(ａ)と図１０(ｂ)と、平面図である図１０(ｃ)を参照して述べると、図７で述べた配管３６に接続された流入管１０６と流出管１０７は、カバー２の凹部２ｄの正面を向く壁面に穿設された孔部に挿通された後に、互いに平行になるように固定されている。これらの流入管１０６と流出管１０７の夫々の少なくとも上方部分または全周には、所定の深さ(くぼみ)、例えば約３ｍｍの溝形状の被係止部１０６ａ、１０７ａが各管の長手方向に直交するようにフライス加工などにより機械加工形成されている。また、このカバー２の凹部２ｄは、後述するように挿着後の蓋部材１００の操作面の上方及び左右に大きく開口し、挿着後の容器１０１のフランジ部１０１ｆの左右方向に夫々空間部を形成することで患者Ｋの操作性(着脱性)、視認性を向上させている。
【００６５】
一方、回動部材１０２には蓋部材１００の上面の略全域を覆う操作面１０２ａと、上記の各被係止部１０６ａ、１０７ａに潜入することで係止状態を維持する深さと幅寸法を有した係止部１０８が端部に形成されるとともに、左右側面において軸体１０３、１０３を形成している。この回動部材１０２を蓋部材１００に設けられた軸支部１０４、１０４に対してパチン嵌合して圧入で組付けるか、または軸体１０３を別部材として準備し、挿入することで回動自在に設けらるようにしている。この回動部材１０２は、蓋部材１００とは異なる色の樹脂材料から射出成型されることで、操作部分を明確にしている。また、「押す」という文字表示及び／または「押す」という意味の点字を設けることで視覚が不自由な患者の操作性を向上させている。
【００６６】
また、図１０(ｂ)において、蓋部材１００の略中央には筒部１００ｄが形成されている。この筒部１００ｄには、回動部材１０２の係止部１０８が、上記の流入管１０６と流出管１０７の被係止部１０６ａ、１０７ａに移動する回動力を発生する付勢部材の圧縮バネ１０５が内蔵される。以上の構成により、回動部材１０２は軸体１０３回りに時計回りに移動付勢されることとなる。この付勢状態を解除するためには、図１０(ｂ)に示すように回動部材１０２の広い操作面１０２ａを白矢印方向に指先で押圧することで、図１０(ａ)に示したように係止部１０８が各管の被係止部１０６ａ、１０７ａから上方に移動した解除状態にできるようになる。
【００６７】
また、図１０(ｃ)において、上記のように回動部材１０２を操作可能に軸支するために、蓋部材１００には、回動部材１０２の軸体１０３を取り囲むようにした所定形状、例えばＵ字形状の壁部１００ｋが一体樹脂成型されている。
【００６８】
再度、図９(ａ)を参照して、以上のように加湿器２０の挿着機構が構成されているので、患者Ｋは起立した状態から人差し指を操作面１０２ａ上に当て、親指と中指とで容器１０１を挟んでから、操作面１０２ａを下方に押圧することで簡単に取り外すことができるようになる。また、左効きの人でも違和感なく操作ができるようになる。
【００６９】
以上のように、流入管と流出管に対して直に係止できる構成にすることで、確実な嵌着状態にできるので、従来のように装置側に固定された被係止部に係止する構成との比較において、格段に挿着信頼性に優れた加湿器を提供できることとなる。さらに、患者などは無理な姿勢をしなくとも挿着作業(接続作業)を行うことができる一方で、加湿器２０は、カバー２の凹部２ｄで取り囲まれているので、患者がつまづくような軽い事故発生時であっても衝撃吸収できる樹脂製のカバー２で衝撃吸収できるので安全である。
【００７０】
次に、図１０(ｃ)のＸ−Ｘ線矢視断面図である図１１と、外観斜視図である図１４を参照して、加湿器２０の構成についてさらに詳しく述べる。なお、両図において、既に説明済みの構成部品については同様の符号を附して説明を割愛することで未説明部分について述べる。
【００７１】
先ず、図１１において、回動部材１０２には、一体的に形成された軸体１０３、１０３が設けられ、壁部１００ｋ、１００ｋに形成された軸支部(孔部)１０４、１０４に圧入し、嵌挿入することで抜け防止するようにして組み付けられる。
【００７２】
一方、図１４をさらに参照して、蓋部材１００の縁部からは把持部となる円筒部１００ｔが形成されておりその円環状の内周面１００ｊにおいて、３箇所以上の複数箇所(例えば３箇所を円周方向に等間隔で離間)の一方の係合部１００ｇが一体形成されている。円筒部１００ｔの一部の所定位置にはマーク部１００ｍが所定形状(例えば凸状)形成または表示されている。
【００７３】
また、アクリル樹脂等のように透明な樹脂材料を用いて射出成型される容器１０１は所定内容量(例えば１６０ｃｃ程度)の円筒のバケツ形状を有しており、外周面においてフランジ部１０１ｆを一体形成するとともに、他方の係合部１０１ｇを係合部１００ｇに対応するように３箇所以上の複数箇所(例えば３箇所を円周方向に等間隔で離間)を一体形成している。このフランジ部１０１ｆには、マーク部１０１ｍが形成または表示されている。また、この容器１０１は、耐衝撃性のある熱可塑性樹脂、例えばアクリル樹脂製であるので不用意に落としても割れないが、上記のようにほぼ完全透明にすることで泡発生状態が見えるようになるが、上レベル１０１ａと下レベル１０１ｂを通過して水レベルが外部から見える容器であればこの構成に限定されない。
【００７４】
蓋部材１００には、図１１に示した断面形状を有するシリコンラバー製のリップシール１１６が溝部に固定されており、このリップシール１１６に対向するようにして容器１０１の縁部において平らな接合面１０１ｋが一体形成または成型されている。
【００７５】
以上の構成により、図９(ｂ)に示したように蓋部材１００を矢印ｄ３方向に、また容器１０１を矢印ｄ３方向に同時に僅かに回動することで、３箇所の係合部１０１ｇ、１００ｇ間の係合状態が解除されるので、続いて矢印ｄ４方向に移動して分離できる。
【００７６】
そして、図９(ｃ)において、上レベル１０１ａまでの水の補充をした後に、図９(ｄ)に示したように蓋部材１００を矢印ｄ５方向に、また容器１０１を矢印ｄ５方向に、同時に角度分である最大１２０度回動することで、３箇所の係合部１０１ｇ、１００ｇ間の係合状態にすることができる。係合部１０１ｇに特起部１０１ｎ、係合部１００ｇに凹部１００ｎを設けることにより、各マーク部１００ｍ、１０１ｍが一致するので嵌着状態が正しく行われたことがクリック音、クリック感とともに容易に確認できる。また、この嵌着状態において、容器１０１の接合面１０１ｋにリップシール１１６が当接して適度に弾性変形することで液密／気密状態を維持できる。
【００７７】
また、図１１において、右利きの人は、人差し指Ｆ１を操作面１０２ａ上に当て、親指Ｆ２と中指Ｆ３を容器１０１のフランジ部１０１ｆの下方に位置させた後に容器１０１を挟んでから、操作面１０２ａを下方に押圧することで３箇所で保持しつつ前方に移動することで、簡単に取り外すことができる。一方で、左利きの人は、人差し指Ｆ１を操作面１０２ａ上に当て、親指Ｆ３と中指Ｆ２を容器１０１のフランジ部１０１ｆの下方に位置させて同様に、前方に移動することで簡単に取り外すことができる。
【００７８】
以上のように構成される加湿器によれば、容器に設けられた雄ネジと蓋部材に設けられた雌ネジとを螺合するときに密閉させる従来構造では、作業時の力の個人差が出るため、きつく締めてしまうと、取り外し時、固くなり取り外しが困難になり、またゆるく締めると、密閉が不完全となり、濃縮酸素ガスの漏れを生じるという従来からの問題点が完全に解消された。
【００７９】
さらに、図９(ｄ)に示した状態では、クリック感が得られる(図１５に基づいて後で詳述する)のと同時に、蓋部材と容器の外周に設けられた位置決めマークが一致するので、手の感触と目視で締め込み完了の状態がわかるようになった、さらに、リップシールは締め付け荷重の負担を軽くできるようになったので、装置１とともに高齢者にとって優しい加湿器を実現できた。
【００８０】
次に、図１１のＸ−Ｘ線矢視断面図である図１２において、蓋部材１００には、上記の流入管１０６に対する挿着後に連通する入口流路１０９がさらに一体成型または形成されており、図１４において入口流路１０９の端部１０９ａに対して泡発生部材(泡発生手段)１１４が図示のように接続されるように構成されている。
【００８１】
また、図１１のＹ−Ｙ線矢視断面図である図１３において、出口流路１１０の端部１１０ａに対してバッフル部材である邪魔板１１５が接続され固定されている。このように、各流入管１０６と流出管１０７に対する挿着後に気密状態にするためのＯリング１１７が設けられている。
【００８２】
先ず、図１１と図１２と図１４を参照して、嵌着状態において容器１０１の底面１０１ｐからの距離Ｔを中心軸とし、底面１０１ｐにほぼ水平に、帽子状の筒体として多孔質材料から形成される泡発生部材１１４が設けられている。この泡発生部材１１４は、例えばポリプロピレン等の熱可塑性樹脂材料を連続気泡状態に成型することで、図示のような形状に製造される。このように、泡発生部材１１４を容器１０１の底面１０１ｐからの距離Ｔを極力低い所定位置(例えば、２０ｍｍか、好ましくは１０ｍｍ程度)に設けることで、水レベルＷが図示のＷ１まで低くなった場合であっても水を有効に利用でき、所定の加湿能が保持できるようになる。
【００８３】
すなわち、従来は泡発生部材をその長手方向が鉛直になるように設けていたために、水の消費にともない水レベルＷが下降すると加湿能に支障を来たしていた。このために、早い段階で水補給をしなければならず面倒となっていたが、底面に対して水平方向に設けることでかなりの下方のレベルまで水を使用できるようになる。１１１４は、泡発生部材の他の実施例を示すもので筒部材１１１の先端低部にほぼ円板形状または板状で設けられている。この泡発生部材１１１４は全体が多孔質材料としてもよいし、筒部材１１１と連通する小孔(孔径５０〜２００μｍ程度)を設けた材料でもよい。また外縁は開口形状としても、閉塞としてもよい。
【００８４】
このように泡発生部材１１４を設けるために、上記の入口流路１０９の端部１０９ａには、閉塞した底面を有する筒部材１１１の下方において横方向に穿設された孔部に圧入される中空の中継部材１１３を介して図示のように接続される。また、この泡発生部材１１４は、中継部材１１３に対して簡単に圧入できるので患者Ｋも簡単に交換できるようにしている。
【００８５】
上記の筒部材１１１の上方には、酸素を水レベルＷより上の部位に送り出すための量を調節するための調節リング１１２が回動可能に設けられている。このように調整可能にするために、筒部材１１１には大小の孔部１１１ａが穿設されており、これらの孔部１１１ａを塞ぐ状態と開放する位置になるように調節リング１１２の孔部１１２ａが穿設されている。このように構成される調節リング１１２の調節により、未加湿の濃縮酸素ガスと加湿された濃縮酸素ガスとの混合比を調整することが可能となる。
【００８６】
次に、図１１と図１３と図１４において、端部１１０ａに固定される邪魔板１１５は、容器１０１内の加湿媒体(水)が上レベルになるまで貯められたときに、酸素ガスと共に出口流路１１０を介して流出管１０７に排出されることを抑制するために設けられる。
【００８７】
このように気液分離機能を持つ部品を備えることで、水を有効利用できることになるので、邪魔板１１５は端部１１０ａの全体を覆う本体部１１５ａと、上レベルＷより高い位置において略水平方向に開口する開口部１１５ｃと、この開口部１１５ｃに連通するとともに出口流路１１０の端部１１０ａに対向して配置される多数の小径の孔部１１５ｂとを有するように所定樹脂材料を用いて射出成型される。
【００８８】
以上の構成により、図１１において、容器１０１に入れられる加湿媒体(水)を規定量の上レベルＷより余計に入れた場合に、加湿器の出口流路１１０の端部１１０ａと水面が接近した状態から、酸素ガスによるバブリング作用を行った場合に泡が破裂して水滴となったときに、水滴は暦邪魔板１１５の本体１１５ａにぶつかることで気液分離され、開口部１１５ｃと孔部１１５ｂとを介して下流側に送られるので、水は容器に回収できることとなる。
【００８９】
図１５は、図９において説明したクリック感についての詳細な説明図である。図１５(ａ)は、図９(ｄ)の状態での水平断面図、図１５(ａ')は垂直断面図である。また、図１５(ｂ)、図１５(ｂ')はそれぞれの拡大図である。図１５(ｂ)、図１５(ｂ')において、係合部１００ｇの凹部１００ｐと係合部１０１ｇの凸部１０１ｐが係合していることがわかる。図１５(ｃ)、図１５(ｃ')は、係合が外れた直後の状態／係合になる直前の状態を示すものである。こうして、係合になる直前の状態から係合部１０１ｇに下向きに所定角(約３０度)傾斜して設けられた案内部(ガイド)１０１ｑにより、係合部１００ｇの凹部１００ｐと係合部１０１ｇの凸部１０１ｐが係合するように案内されて係合状態になることにより、クリック感が得られる。
【００９０】
以上は本発明の医療用の装置１に用いられる加湿器２０を図示の実施形態に基づいて説明したが、本発明はこれに限定されるものではなく、例えば、酸素ボンベに接続するようにしてもよい。また、泡発生部材を設ける必要性は必ずしもない。
【００９１】
またカバーのデザインは上記構成に限定にされないことは言うまでもなく、上記の出口管と入口管とが操作容易な高さに配設され、加湿器を挿着した後に蓋部材に設けられる回動部材の操作面の上方に向けて大きく開口し、挿着後の容器のフランジ部の左右方向に夫々空間部を形成したカバーであれば如何なるデザインでも可能となる。
【００９２】
【発明の効果】
以上説明したように、本発明によれば、使用上の安全性を確保でき、無理な姿勢をしなくとも接続作業を行うことができ、かつ挿着状態の信頼性に優れた加湿器の提供を提供できる。クリック感により容器の液密性を容易に確認できる。
【図面の簡単な説明】
【図１】本発明の一実施形態に係る酸素濃縮装置１を正面から見て、患者Ｋとともに略同じ縮尺率で示した外観斜視図である。
【図２】（ａ）は、装置１を部屋の壁面Ｗ近くの床面Ｆ上に設置した様子を示した左側面図であり、図２（ｂ）は装置１の背面図である。
【図３】（ａ）は、図１で示した流量表示部８と保護カバー９を拡大して示した外観斜視図であり、図３（ｂ）は保護カバー９を取り外した様子を示した外観斜視図である。
【図４】（ａ）は、装置１の平面図であり、図４（ｂ）は点検用蓋体２２を開けた様子を示した平面図である。
【図５】フィルター交換用蓋体２１と点検用蓋体２２の取り外しの様子を示した外観斜視図であって、図５（ａ）と（ｂ）は、フィルター交換蓋体２１の取り外しの様子を示し、（ｃ）と（ｄ）は、点検用蓋体２２の取り外しの様子を夫々示す図である。
【図６】（ａ）〜（ｃ）は、図５（ｃ）のＸ−Ｘ線矢視断面図である。
【図７】装置１のブロック図を兼ねた配管図である。
【図８】図７の装置１のブロック図における動作説明フローチャートである。
【図９】(ａ)は、加湿器２０を装置１から取り外す様子を示した外観斜視図、(ｂ)は、取り外した後に加湿器２０の蓋部材１００から容器１０１を取り外す様子、(ｃ)は水容器から容器１０１の上レベル１０１ａまで、水を補充する様子、(ｄ)は、容器１０１を蓋部材１００に嵌着する様子を部分拡大図とともに示した外観斜視図である。
【図１０】(ａ)と(ｂ)は、図９(ａ)のＸ−Ｘ線矢視断面図、(ｃ)は加湿器２０の平面図である。
【図１１】図１０(ｃ)のＸ−Ｘ線矢視断面図である。
【図１２】図１１のＸ−Ｘ線矢視断面図である。
【図１３】図１１のＹ−Ｙ線矢視断面図である。
【図１４】加湿器の立体分解図である。
【図１５】加湿器の蓋部材と容器との係合状態を示す図である。
【符号の説明】
１  酸素濃縮装置
２  カバー
１０  酸素出口管
１１  カプラー
１２  チューブ
１３  鼻カニューラ
２０  加湿器
２１  フィルター交換用蓋体
２２  点検用蓋体
２５  裏面パネル
３６  配管
３７  吸気用消音器
３８  コンプレッサー
３９  冷却用ファン
４０  熱交換器
４１  ニ方向切換弁
４２  排気用消音器
４３  第１吸着筒
４４  第２吸着筒
４５  均等圧弁
４６ａ、４６ｂ  逆止め弁
４７  製品タンク
１００  蓋部材
１０１  容器
１０２  回動部材
１０３  軸体
１０４  軸支部
１０５  圧縮バネ（付勢部材）
１０６  流入管
１０６ａ  被係止部
１０７  流出管
１０７ａ  被係止部
１０８  係止部
１０９  入口流路
１１０  出口流路
１１２  調節リング
１１４  泡発生部材
１１５  邪魔板
１１６  リップシール
【図１】
2004188120.tif 000003
【図２】
2004188120.tif 000004
【図３】
2004188120.tif 000005
【図４】
2004188120.tif 000006
【図５】
2004188120.tif 000007
【図６】
2004188120.tif 000008
【図７】
2004188120.tif 000009
【図８】
2004188120.tif 000010
【図９】
2004188120.tif 000011
【図１０】
2004188120.tif 000012
【図１１】
2004188120.tif 000013
【図１２】
2004188120.tif 000014
【図１３】
2004188120.tif 000015
【図１４】
2004188120.tif 000016
【図１５】
2004188120.tif 000017